【手続補正書】
【提出日】平成19年12月18日(2007.12.18)
【手続補正１】
【補正対象書類名】特許請求の範囲
【補正対象項目名】全文
【補正方法】変更
【補正の内容】
【特許請求の範囲】
【請求項１】
売り場専用端末のディスプレイアセンブリであって、
液晶ディスプレイと、
該液晶ディスプレイの上に配置されたタッチスクリーンと、
該タッチスクリーンに近接して配置された、視角が制御されたデバイスと
を含み、
該視角が制御されたデバイスは、該液晶ディスプレイが視覚され得る視角を、限定された範囲の視角に制限するように構成されており、
該ディスプレイアセンブリの外周は、少なくとも２つの横方向境界を有し、
該視角が制御されたデバイスは、該ディスプレイアセンブリが該少なくとも２つの横方向境界のうちの１つに近接した位置から視覚されているとき、該液晶ディスプレイが視覚され得る角度αを、約３５°≦α≦９０°の範囲に制限し、
該ディスプレイアセンブリの外周は、少なくとも１つの後方向境界を有し、
該視角が制御されたデバイスは、該ディスプレイアセンブリが該少なくとも１つの後方向境界に近接した近置から視覚されているとき、該液晶ディスプレイが視覚され得る角度αを、約４０°≦α≦９０°の範囲に制限する、ディスプレイアセンブリ。
【請求項２】
前記限定された範囲の視角は、約４５°≦β≦９０°および約２７０°≦β≦３１５°の範囲のうちの１つにある位置角βから前記ディスプレイが視覚されているとき、約３５°≦α≦９０°の範囲の視角αを含み、βは前記ディスプレイアセンブリの平面において、かつ、該ディスプレイアセンブリに直交する軸の回りで測定される、請求項１に記載の売り場専用端末のディスプレイアセンブリ。
【請求項３】
前記限定された範囲の視角は、約９０°≦β≦２７０°の範囲の位置角βから前記ディスプレイが視覚されているとき、約４０°≦α≦９０°の範囲の視角αを含み、βは前記ディスプレイアセンブリの平面において、かつ、該ディスプレイアセンブリに直交する軸の回りで測定される、請求項１に記載の売り場専用端末のディスプレイアセンブリ。
【請求項４】
売り場専用端末のディスプレイデバイスであって、
該ディスプレイデバイスは、外周を有しており、
該ディスプレイデバイスは、
液晶ディスプレイと、
該液晶ディスプレイの上に配置されたタッチスクリーンと、
該液晶ディスプレイの上に配置された、視角が制御されたデバイスと
を含み、
該視角が制御されたデバイスは、該ディスプレイデバイスの外周のうちの少なくとも一部のまわりで、該液晶ディスプレイが視覚され得る角度を制限するように構成されており、
該ディスプレイデバイスの外周は、少なくとも２つの横方向境界を有し、
該視角が制御されたデバイスは、ディスプレイアセンブリが該少なくとも２つの横方向境界のうちの１つに近接した位置から視覚されているとき、該液晶ディスプレイが視覚され得る角度αを、約３５°≦α≦９０°の範囲に制限し、
該ディスプレイアセンブリの外周は、少なくとも１つの後方向境界を有し、
該視角が制御されたデバイスは、該ディスプレイアセンブリデバイスが該少なくとも１つの後方向境界に近接した位置から視覚されているとき、該液晶ディスプレイが視覚され得る角度αを、約４０°≦α≦９０°の範囲に制限する、ディスプレイデバイス。
【請求項５】
前記ディスプレイデバイスの外周は、少なくとも２つの横方向境界を有し、
前記視角が制御されたデバイスは、該ディスプレイデバイスが該少なくとも２つの横方向境界のうちの１つに近接した位置から視覚されているとき、前記液晶ディスプレイが視覚され得る角度αを、約３５°≦α≦９０°の範囲に制限する、請求項４に記載の売り場専用端末のディスプレイデバイス。
【請求項６】
前記ディスプレイデバイスの外周は、少なくとも１つの後方向境界を有し、
前記視角が制御されたデバイスは、該ディスプレイデバイスが該少なくとも１つの後方向境界に近接した位置から視覚されているとき、前記液晶ディスプレイが視覚され得る角度αを、約４０°≦α≦９０°の範囲に制限する、請求項４に記載の売り場専用端末のディスプレイデバイス。
【請求項７】
売り場専用の取引端末であって、
該売り場専用の取引端末は、外周を有しており、
該売り場専用の取引端末は、
コンピュータデバイスと、
該コンピュータデバイスに動作可能なように連結された、ディスプレイアセンブリと
を含み、
該ディスプレイアセンブリは、該ディスプレイアセンブリにタッチすることによって、該コンピュータデバイスにデータを入力することが可能なように構成されており、
該ディスプレイアセンブリは、該ディスプレイアセンブリが視覚され得る角度を、限定された範囲の視角に制限するように構成されており、
該取引端末の外周は、少なくとも２つの横方向境界を有し、
該限定された範囲の視角は、該ディスプレイアセンブリが該少なくとも２つの横方向境界のうちの１つに近接した位置から視覚されているとき、該ディスプレイが視覚され得る角度αを、約３５°≦α≦９０°の範囲に制限し、
該取引端末の外周は、少なくとも１つの後方向境界を有し、
該限定された範囲の視角は、該ディスプレイアセンブリが該少なくとも１つの後方向境界に近接した近置から視覚されているとき、該ディスプレイが視覚され得る角度αを、約４０°≦α≦９０°の範囲に制限する、売り場専用の取引端末。
【請求項８】
前記ディスプレイアセンブリは、
液晶ディスプレイと、
該液晶ディスプレイの上に配置されたタッチスクリーンと、
該タッチスクリーンに近接して配置された、視角が制御されたデバイスと
を含み、
該視角が制御されたデバイスは、該液晶ディスプレイが限定された範囲の視角で視覚されることを許容するように構成されている、請求項７に記載の売り場専用の取引端末。
【請求項９】
前記限定された範囲の視角は、約４５°≦β≦９０°および約２７０°≦β≦３１５°の範囲のうちの１つにある位置角βから前記ディスプレイアセンブリが視覚されているとき、約３５°≦α≦９０°の範囲の視角αを含み、βは該ディスプレイアセンブリの平面において、かつ、該ディスプレイアセンブリに直交する軸の回りで測定される、請求項７に記載の売り場専用の取引端末。
【請求項１０】
前記限定された範囲の視角は、約９０°≦β≦２７０°の範囲の位置角βから前記ディスプレイアセンブリが視覚されているとき、約４０°≦α≦９０°の範囲の視角αを含み、βは該ディスプレイアセンブリの平面において、かつ、該ディスプレイアセンブリに直交する軸の回りで測定される、請求項７に記載の売り場専用の取引端末。
【請求項１１】
売り場専用端末のディスプレイアセンブリを製造する方法であって、該方法は、
液晶ディスプレイを提供するステップと、
該液晶ディスプレイの上にタッチスクリーンを配置するステップと、
該液晶ディスプレイの上に視角が制御されたデバイスを配置するステップと
を含み、
該視角が制御されたデバイスは、該液晶ディスプレイが視覚され得る視角を、限定された範囲の視角に制限し、
該ディスプレイアセンブリの外周は、少なくとも２つの横方向境界を有し、
該限定された範囲の視角は、該ディスプレイアセンブリが該少なくとも２つの横方向境界に近接した位置から視覚されているとき、該液晶ディスプレイが視覚され得る角度αを、約３５°≦α≦９０°の限定された範囲に制限し、
該ディスプレイアセンブリの外周は、少なくとも１つの後方向境界を有し、
該限定された範囲の視角は、該ディスプレイアセンブリが該少なくとも１つの後方向境界に近接した近置から視覚されているとき、該液晶ディスプレイが視覚され得る角度αを、約４０°≦α≦９０°の範囲に制限する、方法。
【請求項１２】
前記視角が制御されたデバイスは、前記タッチスクリーンと一体化しており、
前記液晶ディスプレイの上に前記タッチスクリーンを配置する前記ステップと、前記液晶ディスプレイの上に前記視角が制御されたデバイスを配置する前記ステップとが、同時に実行される、請求項１１に記載の方法。